(57)【要約】【課題】ホッパーに簡単な設備を設けることで、このホッパー内に堆積して詰った燃焼灰を崩し、又は燃焼灰の堆積を防止することにより、閉塞状態を回避して、燃焼灰を円滑に吸引輸送する。【解決手段】集塵器で捕捉した燃焼灰Ａを蓄積するホッパー１と、ホッパー１の下端に接続し、ホッパー１から落下した燃焼灰Ａを吸引して灰処理装置４に輸送する灰輸送管２と、を備えた灰輸送装置において、ホッパー１内に詰まった燃焼灰Ａに向けて圧縮空気を噴射し、燃焼灰Ａの塊りを崩し、灰輸送管２で輸送するように構成した。【選択図】図５
2010101556.tif 000002
【特許請求の範囲】
【請求項１】
集塵器で捕捉した燃焼灰等Ａを蓄積するホッパー１と、該ホッパー１の下端に接続し、ホッパー１から落下した燃焼灰等Ａを吸引して灰処理装置４に輸送する灰輸送管２と、を備えた灰輸送装置において、
前記ホッパー１内に詰まった燃焼灰等Ａに向けて圧縮空気を噴射し、燃焼灰等Ａの塊りを崩し、灰輸送管２で輸送するように構成した、ことを特徴とする燃焼灰等のホッパー灰詰り解消装置。
【請求項２】
前記ホッパー１の漏斗部に、圧縮空気を吹き込む噴射管９を、その噴射口１０が前記灰輸送管２側に向くように取り付けた、ことを特徴とする請求項１の燃焼灰等のホッパー灰詰り解消装置。
【請求項３】
前記噴射管９の噴射口１０は首振り可能に構成したものである、ことを特徴とする請求項２の燃焼灰等のホッパー灰詰り解消装置。
【請求項４】
前記ホッパー１に開けたホッパーマンホール７の開閉蓋６に、上方に向く噴射口２１を取り付け、該噴射口２１に噴射管９を連結した、ことを特徴とする請求項１の燃焼灰等のホッパー灰詰り解消装置。
【請求項５】
前記ホッパー１の漏斗部に、圧縮空気を吹き込む噴射管９を、その噴射口１０が前記灰輸送管２側に向くように取り付け、更にホッパー１に開けたホッパーマンホール７の開閉蓋６に、上方に向く噴射口２１を取り付け、該噴射口２１に噴射管９を連結した、ことを特徴とする請求項１の燃焼灰等のホッパー灰詰り解消装置。
【請求項６】
集塵器で捕捉した燃焼灰等Ａを蓄積するホッパー１と、該ホッパー１の下端に接続し、ホッパー１から落下した燃焼灰等Ａを吸引して灰処理装置４に輸送するための灰輸送管２とを備えた灰輸送装置において、該ホッパー１内に詰まった燃焼灰等Ａに、圧縮空気を噴射することにより、燃焼灰等Ａの塊りを崩して、閉塞状態のホッパー１内に通気穴を開け、そこに空気が通るようにして再び燃焼灰等Ａを吸引し、灰輸送管２で輸送する燃焼灰等のホッパーの灰詰り解消方法であって、
前記ホッパー１下部のアッシュインテーク弁３を「開」操作すると同時に、圧縮空気の噴射管９の電磁弁１１も「開」操作して圧縮空気を吹込む、ことを特徴とする燃焼灰等のホッパーの灰詰り解消方法。
【請求項７】
前記燃焼灰等Ａの上部から前記圧縮空気を下方に向けて吹込む、ことを特徴とする請求項６の燃焼灰等のホッパーの灰詰り解消方法。
【請求項８】
前記燃焼灰等Ａの下部から前記圧縮空気を上方に向けて吹込む、ことを特徴とする請求項６の燃焼灰等のホッパーの灰詰り解消方法。
【請求項９】
前記燃焼灰等Ａの上部から圧縮空気を下方に向けて吹込み、次に前記燃焼灰等Ａの下部から記圧縮空気を上方に向けて吹き込む、ことを特徴とする請求項６の燃焼灰等のホッパーの灰詰り解消方法。
【請求項１０】
前記燃焼灰等Ａの上部から圧縮空気を上方に向けて吹き込み、次に前記燃焼灰等Ａの下部から圧縮空気を下方に向けて吹き込む、ことを特徴とする請求項６の燃焼灰等のホッパーの灰詰り解消方法。
【請求項１１】
前記ホッパー１内に詰まった燃焼灰等Ａに向けて、圧縮空気を所定時間毎に定期的に噴射する、ことを特徴とする請求項６，７，８，９又は１０の燃焼灰等のホッパーの灰詰り解消方法。
【発明の詳細な説明】
【技術分野】
【０００１】
本発明は、発電所等のボイラで発生し、ホッパーに蓄積された燃焼灰等について灰輸送管を通して灰処理装置へ吸引輸送する際に、このホッパー内に詰った燃焼灰等を崩して円滑に吸引輸送する燃焼灰等のホッパー灰詰り解消装置及びその灰詰り解消方法に関する。
【背景技術】
【０００２】
発電所等の大型施設のボイラ等で発生した燃焼灰は、燃焼排ガスと共に脱硝装置及び空気予熱器を経て電気集塵器に導入し、電気集塵器でその大半を捕捉する。電気集塵器の底部に、逆円錐形状のホッパーを複数個設置し、捕捉した燃焼灰（ＥＰ灰）をこのホッパー内に蓄積する。
【０００３】
図１０に示すように、各ホッパー１内に蓄積した燃焼灰は、灰輸送管２を通じて真空ポンプ５で吸引され灰処理装置４に輸送される。灰輸送管２の一端には大気吸込口が設けられており、この大気吸込口を開き真空ポンプ５を作動させると、灰輸送管２内にはサイロに向けた気流が生じるため、ホッパー１下端のアッシュインテーク弁（排出弁）３を開くとホッパー１内の燃焼灰が灰輸送管２に吸引されて輸送される。複数のホッパー１からの燃焼灰の輸送は、１基ずつ順次アッシュインテーク弁３を開いて燃焼灰を吸引することによって行われる。
【０００４】
例えば、このようなホッパー１のアッシュインテーク弁３を開閉することにより、ホッパー１内の重油灰のような燃焼灰が灰輸送管２内に落下し真空引きにより温風と共に燃焼灰を輸送する。燃焼灰特に重油灰は粘性が高いので、ホッパー１内に灰塊が発生するとホッパー１の出口が灰詰まりを起こす。そのため従来から灰輸送管２等の詰まりを防止するために、排出弁を開く前にはホッパー１の漏斗部に形成した開閉式のホッパマンホール７から予め一定量の燃焼灰等を掻き出してフロア上に排出していた。また灰輸送管２に詰まりが生じた場合には、ホッパー１との接続個所の灰輸送管２に形成した開閉式の灰輸送管マンホールから燃焼灰等を掻き出してフロア上に灰出し、清掃している。
【０００５】
このような燃焼灰などの詰りを防止する技術として、例えば特許文献１の特開２００１−２０８３３１号公報「燃焼装置とその煙道灰堆積防止方法」に示すように、燃料を燃焼させるための火炉と、火炉上流側に設けた煙道に設置される火炉に燃料を供給するための燃料搬送用空気を供給する押込通風機及び一次空気搬送用の一次空気通風機と、火炉の上流側の煙道内の空気と火炉の下流側の間に設けられ、煙道内の燃焼排ガスとの熱交換により一次空気と燃料搬送用空気を予熱する空気予熱器と、火炉の下流側の煙道に設けられる火炉からの燃料燃焼排ガス中の除塵をする電気集塵器と、該電気集塵器の上流側のガス流れに沿って登り勾配の傾斜がついた斜行煙道と、該斜行煙道の底部に堆積した灰等を吹き飛ばすため斜行煙道内にパージ媒体を吹き出すノズル及びパージ弁を設置するパージ系統を備えた燃焼装置の煙道灰堆積防止方法において、前記パージ系統に一次空気通風機あるいは押込通風機の下流側煙道から取り出した冷空気に空気予熱器の下流側の煙道より取り出した熱空気を合流させて得られる昇温した空気を用いる燃焼装置の煙道灰堆積防止方法が提案されている。
【特許文献１】特開２００１−２０８３３１号公報
【発明の開示】
【発明が解決しようとする課題】
【０００６】
従来の灰輸送装置は、ホッパー１の灰詰まり頻度が多く、ホッパー１の灰詰まりによる特別な対策を講じていなかった。そのホッパー１の灰詰まりが発生したときにその都度灰出しと清掃作業をしていた。しかし、この灰の掻き出し作業は多くの労力と費用が必要であった。また、ホッパー１の灰詰まりの掻き出し作業は、灰処理装置４を停止する必要があるという問題を有していた。
【０００７】
特許文献１の「燃焼装置とその煙道灰堆積防止方法」は、煙道内に灰が堆積することを防止する技術である。ホッパーから灰輸送管に移し、このホッパー内に堆積して詰った燃焼灰の詰りを防止する技術ではなかった。
【０００８】
本発明は、かかる問題点を解決するために創案されたものである。すなわち、本発明の目的は、ホッパーに簡単な設備を設けることで、このホッパー内に堆積して詰った燃焼灰を崩し、又は燃焼灰の堆積を防止することにより、閉塞状態を回避して、燃焼灰を円滑に吸引輸送することができ、灰処理装置を停止する必要がない燃焼灰等のホッパー灰詰り解消装置及びその灰詰り解消方法を提供することにある。
【課題を解決するための手段】
【０００９】
本発明の解消装置によれば、集塵器で捕捉した燃焼灰等Ａを蓄積するホッパー１と、該ホッパー１の下端に接続し、ホッパー１から落下した燃焼灰等Ａを吸引して灰処理装置４に輸送する灰輸送管２と、を備えた灰輸送装置において、前記ホッパー１内に詰まった燃焼灰等Ａに向けて圧縮空気を噴射し、燃焼灰等Ａの塊りを崩し、灰輸送管２で輸送するように構成した、ことを特徴とする燃焼灰等のホッパー灰詰り解消装置が提供される。
【００１０】
例えば、前記ホッパー１の漏斗部に、圧縮空気を吹き込む噴射管９を、その噴射口１０が前記灰輸送管２側に向くように取り付ける。
前記噴射管９の噴射口１０は首振り可能に構成することが好ましい。
前記ホッパー１に開けたホッパーマンホール７の開閉蓋６に、上方に向く噴射口２１を取り付け、該噴射口２１に噴射管９を連結することができる。
【００１１】
前記ホッパー１の漏斗部に、圧縮空気を吹き込む噴射管９を、その噴射口１０が前記灰輸送管２側に向くように取り付け、更に該ホッパー１に開けたホッパーマンホール７の開閉蓋６に、上方に向く噴射口２１を取り付け、該噴射口２１に噴射管９を連結することができる。
【００１２】
本発明の解消方法によれば、集塵器で捕捉した燃焼灰等Ａを蓄積するホッパー１と、該ホッパー１の下端に接続し、ホッパー１から落下した燃焼灰等Ａを吸引して灰処理装置４に輸送するための灰輸送管２とを備えた灰輸送装置において、該ホッパー１内に詰まった燃焼灰等Ａに、圧縮空気を噴射することにより、燃焼灰等Ａの塊りを崩して、閉塞状態のホッパー１内に通気穴を開け、そこに空気が通るようにして再び燃焼灰等Ａを吸引し、灰輸送管２で輸送する燃焼灰等のホッパーの灰詰り解消方法であって、前記ホッパー１下部のアッシュインテーク弁３を「開」操作すると同時に、圧縮空気の噴射管９の電磁弁１１も「開」操作して圧縮空気を吹込む、ことを特徴とする燃焼灰等のホッパーの灰詰り解消方法が提供される。
【００１３】
例えば、前記燃焼灰等Ａの上部から前記圧縮空気を下方に向けて吹込み、または燃焼灰等Ａの下部から前記圧縮空気を上方に向けて吹込む。
前記燃焼灰等Ａの上部から圧縮空気を下方に向けて吹き込み、次に前記燃焼灰等Ａの下部から圧縮空気を上方に向けて吹き込むことができる。
逆に、前記燃焼灰等Ａの上部から圧縮空気を上方に向けて吹き込み、次に前記燃焼灰等Ａの下部から圧縮空気を下方に向けて吹き込むことも可能である。
前記ホッパー１内に詰まった燃焼灰等Ａに向けて、噴射口１０，２１から圧縮空気を所定時間毎に定期的に噴射することが好ましい。
【発明の効果】
【００１４】
上記構成の発明では、ホッパー１内に詰まった燃焼灰等Ａに向けて圧縮空気を噴射すれば、ホッパー１内の下部位置で堆積してホッパー１内部を閉塞していた燃焼灰等Ａを容易に崩すことができる。従来のように、ホッパー１のホッパーマンホール７から燃焼灰等Ａを掻き出すことなく、燃焼灰等Ａの詰りを解消することができる。このように閉塞状態のホッパー１内に通気穴が開けば、そこに空気が通るようになり、負圧にした灰輸送管２へ燃焼灰等Ａが吸引輸送されるようになる。ホッパー１内が、閉塞した状態から通風状態が一旦形成されると、燃焼灰等Ａを容易に吸引輸送することができる。
【００１５】
ホッパー１に噴射口１０，２１を２箇所取り付けたものでは、燃焼灰等Ａの塊りに向けてその上方と下方から圧縮空気を噴射できるので、大きな燃焼灰等Ａの塊りであっても迅速にその塊りを崩すことができる。
【００１６】
本発明の解消方法では、ホッパー１内に詰まった燃焼灰等Ａに向けて、噴射口１０から圧縮空気を所定時間毎に定期的に噴射することにより、ホッパー１内の灰詰まりを防止することができ、ホッパー１の点検・清掃にかかる費用・手間を低減することができる。ホッパー１の点検・清掃時における、外部への燃焼灰等Ａの飛散を防止することができる。ホッパー１の修繕費用を削減でき、その作業頻度を減少することができる。しかも、従来の掻きだし作業が減少し、灰処理装置４を停止する時間を減少させることができ、灰処理装置４の高効率運転が可能になる。
【００１７】
燃焼灰等Ａの上部と下部の２箇所から圧縮空気を吹き込むことにより、燃焼灰等Ａの塊りの性状に応じて圧縮空気を吹き込む向きを使い分けて確実に塊りを崩すことができる。例えば、塊りが小さいときは下方に向けて圧縮空気を一気に吹き込んで塊りを崩す。逆に、塊りが比較的に大きいときは、下部から圧縮空気を上方に向けて吹き込み、塊りをある程度崩し、その塊りが薄くなった部分に上部から下方に向けて吹き込んで塊りを崩す。
【発明を実施するための最良の形態】
【００１８】
本発明の燃焼灰等のホッパー灰詰り解消装置は、ホッパー内に詰まった燃焼灰に、燃焼灰へ噴射口で圧縮空気を噴射し、燃焼灰の塊りを崩して、灰輸送管で輸送することができる。
【実施例１】
【００１９】
以下、本発明の好ましい実施の形態を図面を参照して説明する。
図１は実施例１の燃焼灰等のホッパー灰詰り解消装置を実施する灰輸送装置の概略図である。
ボイラの煙道に配置された電気集塵器で捕捉したＥＰ灰等の燃焼灰Ａを蓄積するホッパー１は、上端側が広く下端側が狭くなるように形成された漏斗形状をしており、その上部からホッパー１内に粉末状の燃焼灰Ａが投入される。ホッパー１の下端近傍には、蓄積した燃焼灰等Ａの蓄積物が灰輸送管２への吸引を許容するためのアッシュインテーク弁（排出弁）３が設けられている。なお、このホッパー１は、電気集塵器の下部に複数個複数列に並べて配置されている。
【００２０】
灰輸送管２は、例えば列をなして配置された複数のホッパー１の下端を連結する水平方向に伸長する内径３０ｃｍ程度の配管であり、その一端は吸気弁が設けられた大気吸入口となっている。また灰輸送管２の他端は図１０に示したように、灰処理装置４に接続されており、ホッパー１と灰処理装置４とをつなぐ灰輸送管２の経路には、ホッパー１内から燃焼灰等Ａを吸引するための真空ポンプ５が設けられている。即ち、真空ポンプ５が作動すると灰輸送管２には負圧が生じ、大気吸入口からの空気の流入によって、ホッパー１内からは燃焼灰等Ａが吸引される。吸引された燃焼灰等Ａは、灰輸送管２内を通って灰処理装置４に輸送されるようになっている。
なお、ホッパー１には、その点検や清掃を行うため着脱自在な開閉蓋６が取り付けられた内径１５ｃｍ程度のマンホール７が開けられている。
【００２１】
図２は実施例１の灰詰り解消装置を示すホッパー部分の断面図である。
実施例１の燃焼灰等のホッパー灰詰り解消装置は、ホッパー１内に詰まった燃焼灰等Ａに向けて、コンプレッサー８からの圧縮空気を噴射し、燃焼灰等Ａの塊りを崩し、灰輸送管２で輸送するように構成した装置である。実施例１の灰詰り解消装置では、ホッパー１の漏斗部に、圧縮空気を吹き込む噴射管９を、その噴射口１０が灰輸送管２側に向くように取り付けた。
【００２２】
図３は実施例１の解消装置の動作状態を示すホッパー内の説明断面図であり、（ａ）は灰が閉塞している状態、（ｂ）は灰の詰りを崩した状態、（ｃ）は灰の詰りが解消された状態である。
このホッパー１内に詰まった燃焼灰等Ａに、コンプレッサー８からの圧縮空気を噴射口１０から噴射すると、燃焼灰等Ａの一部が吹き飛び、燃焼灰等Ａの塊りに凹みができる（図３（ａ））。そのまま噴射口１０から圧縮空気を噴射し続けることにより、燃焼灰等Ａの塊りを崩れ、燃焼灰等Ａの塊りに大きな凹みができる（図３（ｂ））。最後に、ホッパー１の内部で閉塞状態にある燃焼灰等Ａに通気穴が開くと、そこに空気が通るようになる（図３（ｃ））。再び燃焼灰等Ａを吸引し、灰輸送管２で輸送する燃焼灰等のホッパー１の灰詰りを解消することができる。そこで、本発明ではホッパー１下部のアッシュインテーク弁３を「開」操作すると同時に、圧縮空気の噴射管９の電磁弁１１も「開」操作して圧縮空気を吹込む。噴射管９から圧縮空気を吹き込むと同時にアッシュインテーク弁３を開けることによって、燃焼灰等Ａの塊りに強い風圧をかけることができる。即ち、負圧の状態で圧縮空気を吹込んでも、圧縮空気が分散して燃焼灰等Ａを効率良く崩すことができないからである。
【００２３】
このように、ホッパー１内に詰まった燃焼灰等Ａに向けて圧縮空気を噴射すれば、ホッパー１内の下部位置で堆積して内部を閉塞していた燃焼灰等Ａを容易に崩すことができる。従来のように、ホッパー１のホッパーマンホール７から燃焼灰等Ａを掻き出すことなく、燃焼灰等Ａの詰りを解消することができる。このように閉塞状態のホッパー１内に通気穴が開けば、そこに空気が通るようになり、負圧にした灰輸送管２へ燃焼灰等Ａが吸引輸送されるようになる。一旦閉塞した状態から通風状態が形成されると、燃焼灰等Ａを容易に吸引輸送することができる。
【００２４】
ホッパー１内に詰まった燃焼灰等Ａに向けて、噴射口１０で圧縮空気を所定時間毎に定期的に噴射する。本発明では、ホッパー１内の灰詰まりを防止することができ、ホッパー１の点検・清掃にかかる費用・手間を低減することができる。
【００２５】
更に、噴射管９の噴射口１０は首振り可能に構成することができる（図示していない）。ホッパー１内で広範囲に圧縮空気を噴射することで、ホッパー１内壁面に付着し始めた燃焼灰等Ａを吹き落すことができ、ホッパー１内での燃焼灰等Ａの詰まりを未然に防止することができる。
【実施例２】
【００２６】
図４は実施例２の燃焼灰等のホッパー灰詰り解消装置を実施する灰輸送装置の概略図である。図５は実施例２の灰詰り解消装置を示し、（ａ）はホッパー部分の断面図、（ｂ）は開閉蓋の拡大断面図である。
実施例２の燃焼灰等のホッパー灰詰り解消装置は、ホッパー１のホッパーマンホール７の開閉蓋６に、上方に向く噴射口２１を取り付けた。この噴射口２１に噴射管９を連結した。この開閉蓋６は、ホッパーマンホール７に着脱自在に取り付けることができる。
【００２７】
図６は実施例２の灰詰り解消装置の動作状態を示すホッパー内の説明断面図であり、（ａ）は灰が閉塞している状態、（ｂ）は灰の詰りを崩した状態、（ｃ）は灰の詰りが解消された状態である。
この実施例２の燃焼灰等のホッパー灰詰り解消装置では、ホッパー１内に詰まった燃焼灰等Ａに、実施例１と同様に、コンプレッサー８からの圧縮空気を噴射口２１から上方に噴射すると、燃焼灰等Ａの一部が吹き飛び、燃焼灰等Ａの塊りに穴ができる（図６（ａ））。そのまま噴射口２１から圧縮空気を噴射し続けることにより、燃焼灰等Ａの塊りを崩しながら吸引すると、燃焼灰等Ａの塊りにできた穴が大きくなる（図６（ｂ））。最後に、ホッパー１内で閉塞状態にある燃焼灰等Ａに通気穴が開くと、そこに空気が通るようになる（図６（ｃ））。再び燃焼灰等Ａを吸引し、灰輸送管２で輸送する燃焼灰等のホッパー１の灰詰りを解消することができる。
【００２８】
このように、噴射口２１を設けた開閉蓋６をホッパーマンホール７に着脱自在に取り付けることにより、異なる向きの噴射口２１を容易に構成することができるので、圧縮空気を燃焼灰等Ａの上部から下方に向けて吹込み、または圧縮空気を燃焼灰等Ａの下部から上方に向けて吹込むことも簡単に実施することができる。そこで、ホッパー１内の燃焼灰等Ａの詰まった状態に応じて噴射口２１を変えることができる。
【実施例３】
【００２９】
図７は実施例３の燃焼灰等のホッパー灰詰り解消装置を実施する灰輸送装置の概略図である。図８は実施例３の灰詰り解消装置により灰の詰りを下方から崩した状態を示すホッパー内の説明断面図である。図９は実施例３の灰詰り解消装置により灰の詰りを上方からも崩した状態を示すホッパー内の説明断面図である。
実施例３の燃焼灰等のホッパー灰詰り解消装置は、１基のホッパー１に、２箇所の噴射口１０，２１を設けた。ホッパー1の漏斗部に圧縮空気を吹き込む噴射管９を、その噴射口１０が下方に向くように取り付け、更にホッパーホール７の開閉蓋６にも、上方に向く噴射口２１を取り付け、この噴射口２１に噴射管９を連結した。
【００３０】
実施例３の燃焼灰等のホッパー灰詰り解消装置では、図８に示すように、燃焼灰等Ａの上部の噴射口１０から圧縮空気を下方に向けて吹き込み。次に図９に示すように、この燃焼灰等Ａの下部の噴射口２１から圧縮空気を上方に向けて吹き込む。このように燃焼灰等Ａの塊りに向けてその上方と下方から圧縮空気を噴射することにより、大きな燃焼灰等Ａの塊りであっても迅速にその塊りを崩すことができる。
【００３１】
逆に、燃焼灰等Ａの上部から圧縮空気を上方に向けて吹き込み、次に燃焼灰等Ａの下部から圧縮空気を下方に向けて吹き込むことも可能である。燃焼灰等Ａの上部と下部の２箇所から圧縮空気を吹き込むことにより、燃焼灰等Ａの塊りの性状に応じて圧縮空気を吹き込む向きを使い分けて確実に塊りを崩すことができる。例えば、塊りが小さいときは下方に向けて圧縮空気を一気に吹き込んで塊りを崩す。塊りが比較的に大きいときは、下部から圧縮空気を上方に向けて吹き込み、塊りをある程度崩し、その塊りが薄くなった部分に上部から下方に向けて吹き込んで塊りを崩すことができる。
【００３２】
なお、本発明は、ホッパー１に簡単な設備を設けることで、このホッパー１内に堆積して詰った燃焼灰等Ａを崩し、又は燃焼灰等Ａの堆積を防止することにより、閉塞状態を回避して、燃焼灰等Ａを円滑に吸引輸送することができれば、上述した実施例に限定されず、本発明の要旨を逸脱しない範囲で種々変更できることは勿論である。
【産業上の利用可能性】
【００３３】
本発明の燃焼灰等のホッパー灰詰り解消装置及びその灰詰り解消方法は、燃焼灰を崩して吸引輸送するとき以外に、その他の粘性が高く管内で詰まりやすい粉体を吸引輸送する様々な装置にも利用することができる。
【図面の簡単な説明】
【００３４】
【図１】実施例１の燃焼灰等のホッパー灰詰り解消装置を実施する灰輸送装置の概略図である。
【図２】実施例１の灰詰り解消装置を示すホッパー部分の断面図である。
【図３】実施例１の解消装置の動作状態を示すホッパー内の説明断面図であり、（ａ）は灰が閉塞している状態、（ｂ）は灰の詰りを崩した状態、（ｃ）は灰の詰りが解消された状態である。
【図４】実施例２の燃焼灰等のホッパー灰詰り解消装置を実施する灰輸送装置の概略図である。
【図５】実施例２の灰詰り解消装置を示し、（ａ）はホッパー部分の断面図、（ｂ）は開閉蓋の拡大断面図である。
【図６】実施例２の灰詰り解消装置の動作状態を示すホッパー内の説明断面図であり、（ａ）は灰が閉塞している状態、（ｂ）は灰の詰りを崩した状態、（ｃ）は灰の詰りが解消された状態である。
【図７】実施例３の燃焼灰等のホッパー灰詰り解消装置を実施する灰輸送装置の概略図である。
【図８】実施例３の灰詰り解消装置により灰の詰りを下方から崩した状態を示すホッパー内の説明断面図である
【図９】実施例３の灰詰り解消装置により灰の詰りを上方から崩した状態を示すホッパー内の説明断面図である
【図１０】従来の燃焼灰等の灰輸送装置を示す概略図である。
【符号の説明】
【００３５】
１  ホッパー
２  灰輸送管
３  アッシュインテーク弁（排出弁）
４  灰処理装置
６  開閉蓋
７  ホッパーマンホール
９  噴射管
１０  噴射口
１１  噴射管の電磁弁
２１  噴射口
Ａ  燃焼灰等
【図１】
2010101556.tif 000003
【図２】
2010101556.tif 000004
【図３】
2010101556.tif 000005
【図４】
2010101556.tif 000006
【図５】
2010101556.tif 000007
【図６】
2010101556.tif 000008
【図７】
2010101556.tif 000009
【図８】
2010101556.tif 000010
【図９】
2010101556.tif 000011
【図１０】
2010101556.tif 000012